【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
設置場所が固定的かつ留守番機能を有する固定電話装置と、移動可能な無線電話端末と、前記無線電話端末を収容する無線アクセス装置とからなる電話システムであって、
前記無線アクセス装置は、前記固定電話装置と前記無線電話端末とを予め関連付けて登録する対応テーブルと、前記無線電話端末が自身の無線エリア内に存在しているか否かを検知する無線電話端末検知手段とを有し、この無線電話端末検知手段の検知結果による前記無線電話端末の存在通知または不存在通知を前記固定電話装置へ送信し、
前記固定電話装置は、受信した前記不存在通知に基づいて前記留守番機能を起動し、受信した前記存在通知に基づいて前記留守番機能を停止することを特徴とする電話システム。
【請求項２】
請求項１に記載の電話システムであって、
前記固定電話装置は、前記無線電話端末へ充電する充電手段と、この充電手段が充電状態であるか否かを識別する充電状態検知手段とをさらに有し、充電状態を検出したとき、前記無線アクセス装置に無線電話端末の存在検知の指示を行い、
無線アクセス装置は、前記固定電話装置に対応した無線電話端末の存在を検知し、検知できた無線電話端末のアドレスを固定電話装置に通知し、
固定電話装置は、通知を受けた無線電話端末のアドレスに対応する留守番機能を停止することを特徴とする電話システム。
【請求項３】
請求項２に記載の電話システムであって、
固定電話装置は、無線電話端末の消費電流変化を充電電流または充電電圧の変化で検出し、かつ前記無線アクセス装置から通知を受けた当該無線電話機に対応する留守番機能を停止することを特徴とする電話システム。
【請求項４】
請求項２または請求項３に記載の電話システムであって、
前記充電手段は、前記固定電話装置に搭載された電力給電機能を有する汎用インタフェースであることを特徴とする電話システム。
【手続補正２】
【補正対象書類名】明細書
【補正対象項目名】０００９
【補正方法】変更
【補正の内容】
【０００９】
更に無線アクセス装置の無線電話端末存在検知と、固定電話装置に搭載された無線電話端末の給電機能の充電電流検知により、無線電話端末存在検知の範囲を絞ること、および複数のユーザが１台の固定電話装置の留守番機能を使用できるよう、無線電話端末の特定が可能な電話システムを提供する。
[課題を解決するための手段]
【手続補正３】
【補正対象書類名】明細書
【補正対象項目名】００１６
【補正方法】変更
【補正の内容】
【００１６】
なお、留守番機能対応テーブル１０９は、一台の固定電話装置を複数のユーザが共有して使用する場合に必要となる。このとき、発信側の通信相手に対しては、予めユーザＩＤを知らせておくか、音声案内により通信相手がユーザを指定することで、特定のユーザの留守番機能を利用する。
【手続補正４】
【補正対象書類名】明細書
【補正対象項目名】００１９
【補正方法】変更
【補正の内容】
【００１９】
図４を参照して、無線アクセス装置を説明する。ここで、図４は無線アクセス装置の機能ブロック図である。図４において、無線アクセス装置２０は、ＬＡＮ６０との通信制御全般を行う有線通信部２０１と、無線の通信制御全般を行う無線通信部２０７と、無線とＬＡＮ６０との間のデータブリッジを行うブリッジ部２０６と、固定電話装置／無線電話端末対応テーブル（単に、対応テーブルとも呼ぶ）２０３と、固定電話装置１０からの連携する無線電話端末３０のアドレスなどの通知を受信し、固定電話装置／無線電話端末対応テーブル２０３に固定電話装置１０のアドレスと共に登録する無線電話端末通知受信部２０２と、固定電話装置／無線電話端末対応テーブル２０３のテーブルを参照して、固定電話装置１０と連携する無線電話端末３０の存在を検知する無線電話端末存在検知部２０４と、無線電話端末存在検知部２０４で検知した結果を固定電話装置に通知する無線電話端末存在／不在通知部２０５とから構成される。
【手続補正５】
【補正対象書類名】明細書
【補正対象項目名】００２０
【補正方法】変更
【補正の内容】
【００２０】
図５を参照して、固定電話装置／無線電話端末対応テーブルを説明する。ここで、図５は固定電話装置／無線電話端末対応テーブルを説明する図である。図５において、固定電話装置／無線電話端末対応テーブル２０３は、固定電話装置１０のアドレスが登録される固定電話装置アドレス２０３１と、固定電話装置２０と連携する無線電話機３０端末のアドレス２０３２から構成される。
【手続補正６】
【補正対象書類名】明細書
【補正対象項目名】００２１
【補正方法】変更
【補正の内容】
【００２１】
図６を参照して、固定電話装置と無線アクセス装置と無線ＬＡＮとの間の処理シーケンスを説明する。ここで、図６は固定電話装置と無線アクセス装置と無線ＬＡＮとの間の処理シーケンス図である。図６において、無線ＬＡＮ４０に予め無線電話端末３０が存在し、無線アクセス装置２０に帰属していることを前提とする。
【手続補正７】
【補正対象書類名】明細書
【補正対象項目名】００２７
【補正方法】変更
【補正の内容】
【００２７】
なお、複数の無線電話端末３０が対応付けられている場合、無線電話端末不在通知の中に含まれる無線電話端末３０のアドレスからユーザを特定し、そのユーザが設定した留守番機能を起動する。
【手続補正８】
【補正対象書類名】明細書
【補正対象項目名】００２９
【補正方法】変更
【補正の内容】
【００２９】
図７および図８を参照して、固定電話装置および無線アクセス装置への無線電話端末登録処理を説明する。ここで、図７は固定電話装置の無線電話端末登録処理のフローチャートである。図８は無線アクセス装置の無線電話端末登録処理のフローチャートである。
図７において、固定電話装置１０は、無線電話端末が登録されるのを待つ（Ｓ２００：ＮＯ）。登録が行われたとき（Ｓ２００：ＹＥＳ）、固定電話装置１０は、留守番機能対応テーブル１０９へ登録し（Ｓ２０１）、対応する無線アクセス装置２０に、無線電話端末３０のアドレスなどを含む無線電話端末通知を行い（Ｓ２０２）、ステップ２００に戻り次の登録を待つ。
図８において、無線アクセス装置２０は、固定電話装置１０から無線電話端末通知の受信を待つ（Ｓ３００：ＮＯ）。無線電話端末通知を受信したとき（Ｓ３００：ＹＥＳ）、無線アクセス装置２０は、固定電話装置／無線電話端末対応テーブル２０３に固定電話装置１０のアドレスと無線電話端末のアドレスとを対応付けて登録し（Ｓ３０１）、Ｓ３００に戻って次の無線電話端末通知の受信を待つ。
【手続補正９】
【補正対象書類名】明細書
【補正対象項目名】００３６
【補正方法】変更
【補正の内容】
【００３６】
まず、図１１を参照して、電話システムの構成を説明する。ここで、図１１は電話システムのブロック図である。図１１において、電話システム３００Ａは、ＷＡＮ５０に接続されたＬＡＮ６０と、ＬＡＮ６０にさらに接続された無線アクセス装置２０と留守番電話機能を有する固定電話装置１０Ａと、無線アクセス装置２０と無線接続された無線電話端末３０と、固定電話装置１０Ａに接続された無線電話端末３０用の充電台７０とから構成される。
実施例１との違いは、固定電話装置１０Ａに図示しない汎用インタフェースが設けられ、汎用インタフェースに接続された無線電話端末３０の充電台７０が追加されている点である。
【手続補正１０】
【補正対象書類名】明細書
【補正対象項目名】００３８
【補正方法】変更
【補正の内容】
【００３８】
実施例２の固定電話装置１０Ａと実施例１の固定電話装置１０との差分は、留守番機能対応テーブル１０９の削除と、充電部１１０と充電電流／電圧検出部１１１と無線電話端末存在検知要求送信部１１２との追加である。
【手続補正１１】
【補正対象書類名】明細書
【補正対象項目名】００３９
【補正方法】変更
【補正の内容】
【００３９】
図１３を参照して、固定電話装置と無線アクセス装置と無線ＬＡＮとの間の処理シーケンスを説明する。ここで、図１３は固定電話装置と無線アクセス装置と無線ＬＡＮとの間の処理シーケンス図である。図１３において、無線ＬＡＮ４０に予め無線電話端末３０が存在し、無線アクセス装置２０に帰属していることを前提とする。また、固定電話装置１０Ａは、初期において留守番機能を起動しているとする。
【手続補正１２】
【補正対象書類名】明細書
【補正対象項目名】００４７
【補正方法】変更
【補正の内容】
【００４７】
ステップ７０１で非載置のとき（ＮＯ）、固定電話装置１０Ａは、ステップ７０７に遷移する。
なお、実施例２は、載置された無線電話端末３０を特定することができないため、固定電話装置１０の一台に対して、無線電話端末３０は一つのみ登録する。
【手続補正１３】
【補正対象書類名】明細書
【補正対象項目名】００５０
【補正方法】変更
【補正の内容】
【００５０】
図１６を参照して、固定電話装置と無線アクセス装置と無線ＬＡＮとの間の処理シーケンスを説明する。図１６は固定電話装置と無線アクセス装置と無線ＬＡＮとの間の処理シーケンス図である。なお、ここで無線ＬＡＮ４０上に予め１台の無線電話端末３０が存在し、無線アクセス装置２０に帰属していたとする。
【手続補正１４】
【補正対象書類名】明細書
【補正対象項目名】００７１
【補正方法】変更
【補正の内容】
【００７１】
【図１】電話システムのブロック図である。
【図２】固定電話装置の機能ブロック図である。
【図３】留守番機能対応テーブルを説明する図である。
【図４】無線アクセス装置の機能ブロック図である。
【図５】固定電話装置／無線電話端末対応テーブルを説明する図である。
【図６】固定電話装置と無線アクセス装置と無線ＬＡＮとの間の処理シーケンス図である。
【図７】固定電話装置の無線電話端末登録処理のフローチャートである。
【図８】無線アクセス装置の無線電話端末登録処理のフローチャートである。
【図９】固定電話装置の留守番機能起動、停止処理を示すフローチャートである。
【図１０】無線アクセス装置の無線電話端末検知処理フローチャートである。
【図１１】電話システムのブロック図である。
【図１２】固定電話装置の機能ブロック図である。
【図１３】固定電話装置と無線アクセス装置と無線ＬＡＮとの間の処理シーケンス図である。
【図１４】固定電話装置の留守番機能起動、停止処理のフローチャートである。
【図１５】無線アクセス装置の無線電話端末検知処理フローチャートである。
【図１６】固定電話装置と無線アクセス装置と無線ＬＡＮとの間の処理シーケンス図である。
【図１７】固定電話装置の留守番機能起動、停止処理のフローチャートである。
【図１８】無線アクセス装置の無線電話端末存在検知処理のフローチャートである。[符号の説明]
【手続補正１５】
【補正対象書類名】図面
【補正対象項目名】図７
【補正方法】変更
【補正の内容】
【図７】
2009071593.tif 000001